(57)【要約】【課題】ネジ体をネジ孔に螺挿する際、このネジ孔の開口部を直接目視しなくても簡単な摺動操作だけで、ネジ体の先端を開口部内まで低負荷で迅速かつ精度良く導くことができるインサートナット、および被取付部材のネジ受け構造を提供する。【解決手段】インサートナット１は、内壁に雌ネジ１１１が刻設された筒軸部１１と、筒軸部１１内につながると共に筒軸部１１とは反対側の外方に向けて内径が拡大するロート状の斜面部１２２を、所定の軸方向長さにわたって有し、斜面部１２２に、雄ネジが刻設されたネジ体３の先端３０を摺動させることにより、先端３０を筒軸部１１内まで導くフランジ部１２とを備える。そして、斜面部１２２は、少なくとも一部が、筒軸部１１に向かって凸の球面状に形成される。【選択図】図１
2018159459.tif 000002
【特許請求の範囲】
【請求項１】
内壁に雌ネジが刻設された筒軸部と、
該筒軸部内につながると共に同筒軸部とは反対側の外方に向けて内径が拡大するロート状の斜面部を、所定の軸方向長さにわたって有し、該斜面部に、雄ネジが刻設されたネジ体の先端を摺動させることにより、該先端を前記筒軸部内まで導くフランジ部とを備える
インサートナット。
【請求項２】
前記斜面部は、
少なくとも一部が、前記筒軸部に向かって凸の球面状に形成される
請求項１に記載のインサートナット。
【請求項３】
前記斜面部に、
該斜面部における外端縁から軸方向途中部までの領域に形成された緩斜面域と、
前記斜面部における軸方向途中部から内端縁までの領域に形成されると共に、前記緩斜面域よりも傾斜角度が大きい急斜面域とを設ける
請求項１に記載のインサートナット。
【請求項４】
前記緩斜面域に、
前記斜面部の外端縁に連接され、前記ネジ体の先端を前記斜面部内に導入する第１緩斜面と、
該第１緩斜面よりも傾斜角度が小さく形成され、前記ネジ体の先端を急斜面域まで緩やかに移動させる第２緩斜面とを設ける
請求項３に記載のインサートナット。
【請求項５】
前記斜面部の外端縁の最大内径は、
前記筒軸部の最大内径の３倍以上１０倍以下に設定する
請求項１、請求項２、請求項３または請求項４に記載のインサートナット。
【請求項６】
雄ネジが刻設されたネジ体を取り付ける被取付部材に設けられた雌ネジ部と、
該雌ネジ部内につながると共に同雌ネジ部とは反対側の外方に向けて内径が拡大するロート状の斜面部を、所定の軸方向長さにわたって有し、該斜面部に、前記ネジ体の先端を摺動させることにより、該先端を前記雌ネジ部内まで導くガイド部とを備える
被取付部材のネジ受け構造。
【請求項７】
前記雌ネジ部は、
前記被取付部材の所定の孔内に挿嵌固定されると共に内壁に雌ネジが刻設された筒状体を有する
請求項６に記載の被取付部材のネジ受け構造。
【請求項８】
前記雌ネジ部は、
前記被取付部材の所定の孔内に雌ネジが直接刻設されて形成される
請求項６に記載の被取付部材のネジ受け構造。
【発明の詳細な説明】
【技術分野】
【０００１】
本発明は、インサートナット、および被取付部材のネジ受け構造に関する。詳しくは、ボルトのように、軸部の一部または全部に雄ネジが刻設されたネジ部品（以下、「ネジ体」とする）をネジ孔に螺挿する際、このネジ孔の開口部を直接目視しなくても簡単な摺動操作だけで、ネジ体の先端を開口部内まで低負荷で迅速かつ精度良く導くことができるインサートナット、および被取付部材のネジ受け構造に関する。
【背景技術】
【０００２】
従来から、基材に形成した孔の中にナットを埋め込み、このナット内に形成されたネジ孔にネジ体を螺挿して固定するネジ受け構造が存在している。特に、木工家具の分野で多く採用されており、このようなナットとして、特許文献１に記載されているようなインサートナットが提案されている。このインサートナットの構成を図１２に示す。
【０００３】
図１２に示すインサートナット９は、内周面の一部に雌ネジ９１１が刻設されてネジ孔が形成された筒軸部９１と、筒軸部９１の一端部に形成されて、表面９２１が被取着物９９の表面９９１と面一となる円板状のフランジ部９２と、筒軸部９１に装着された合成樹脂製のチューブ状物であり、筒軸部９１、フランジ部９２と別体であって、表面部分に複数の抜け止め用突起９３１が設けられた係止部９３とを備えるものである。
【０００４】
板材等の被取着物９９に形成された孔に、このような構造のインサートナット９を取り付けることにより、被取着物９９はネジ孔が形成されたものとなってネジ体を螺挿させることが可能となる。そして、この場合、被取着物９９の表面９９１に当接するフランジ部９２には、その表面９２１が被取着物９９の表面９９１と略同じ平面上に位置する面一構造が形成されている。
【先行技術文献】
【特許文献】
【０００５】
【特許文献１】特開２０１０−７７７１号公報
【発明の概要】
【発明が解決しようとする課題】
【０００６】
ところで、前述のインサートナット９では、フランジ部９２の平面視略中央にネジ孔の開口部９１２が形成されるが、この開口部９１２において、筒軸部９１内につながる内端の縁部分（以下、「内端縁」とする）９１２ａと、外方に開放される外端の縁部分（以下、「外端縁」とする）９１２ｂとは、略同一の位置に形成されている。しかも、この外端縁９１２ｂの開口径は、螺挿するネジ体の軸部の外径と略同一となっている。
【０００７】
このため、ネジ体の外径が小さい場合は、開口部９１２も小さくなるため、フランジ部９２の面一構造と相まって、開口部９１２の位置を手探りで把握するのが難しく、インサートナット９の開口部９１２にネジ体を螺挿するには、開口部９１２の位置を目視によって正確に把握する必要がある。特に、インサートナット９が、ユーザーの目線高さより低位置にある板材の裏面等のように、直接目視できない位置に配置されている場合は、ユーザーはその板材の下側に潜り込む等して開口部９１２の位置を目視で把握する必要があり、手間暇がかかって、ネジ体の取付作業の作業効率の低下や作業負荷の増大を招く。
【０００８】
更に、目につかない部分である裏面側は、バリ取りや面取りなどの端面処理が施されていない場合も多く、手探りの際にバリや鋭利な部分等によって手を傷つけるおそれがある。
【０００９】
加えて、目視、手探りのいずれで取付作業を行うにも、ネジ体の先端を開口部９１２内まで精度良く導くことができないと、ネジ体が筒軸部９１の軸心に対し大きく芯ずれした状態で開口部９１２内に挿入される場合があり、無理な螺挿によって各ネジ山が損傷したり、ネジ体の外周面の雄ネジと筒軸部内の雌ネジ間の螺合状態が不充分となって使用中に脱落したりするおそれがある。
【００１０】
本発明は、以上の点を鑑みて創案されたものであり、ネジ体をネジ孔に螺挿する際、このネジ孔の開口部を直接目視しなくても簡単な摺動操作だけで、ネジ体の先端を開口部内まで低負荷で迅速かつ精度良く導くことができるインサートナット、および被取付部材のネジ受け構造を提供することを目的とする。
【課題を解決するための手段】
【００１１】
上記の目的を達成するために、本発明のインサートナットは、内壁に雌ネジが刻設された筒軸部と、筒軸部内につながると共に筒軸部とは反対側の外方に向けて内径が拡大するロート状の斜面部を、所定の軸方向長さにわたって有し、斜面部に、雄ネジが刻設されたネジ体の先端を摺動させることにより、先端を筒軸部内まで導くフランジ部とを備える。
【００１２】
そして、インサートナットが、前述の筒軸部を備えることによって、フランジ部に形成された斜面部を介して挿入されるネジ体は、その外周面の雄ネジと筒軸部内の雌ネジが螺合し、インサートナットへ着脱可能に取り付けることができる。その取り付け構成は特に限定されるものではない。
【００１３】
ここで、筒軸部は、外周面に形成された係止構造を有するものであってもよい。この場合、被取付部材の孔に筒軸部を挿嵌すると、係止構造と孔の内壁との間で摩擦力等の係止力が生じ、これにより、インサートナットが被取付部材から脱落したり、孔の内壁に対して筒軸部が空転したりするのを防止できる。
【００１４】
この「係止構造」としては、例えば、難変形性の突起を複数設けた態様、弾性変形する突起を複数設け、この突起の先端の外形線を被取付部材の孔の内径線よりも大きく設定した態様、先端側よりも基端側が径大なテーパ形状から成る態様のように、挿入対象となる孔に筒軸部を挿嵌させた際に、孔内壁との間で係止構造が摩擦力等の係止力を生じさせることにより、孔内壁に対し筒軸部が空転することを防止できる構造であれば、特に限定するものではなく、従って、挿嵌等によって孔内に係止可能であれば、筒軸部の外周面が、係止構造部を特に設けない直筒形状であってもよい。
【００１５】
更に、フランジ部に、筒軸部内につながると共に筒軸部とは反対側の外方に向けて内径が拡大するロート状の斜面部を、所定の軸方向長さにわたって有することによって、この斜面部の外端縁から内端縁との間に、ネジ体の先端を沿わせるのに充分な大きさの摺動面を確保することができる。しかも、ネジ体の先端が、急角度で摺動して筒軸部の内部に衝突したり、摺動面途中で拡径した部分に係止されたりするのを、確実に防止することができ、ネジ体の先端を、筒軸部内に向かって斜面部上を滑らかに摺動させて精度良く導くことができる。
【００１６】
加えて、フランジ部において、斜面部に、雄ネジが刻設されたネジ体の先端を摺動させることにより、先端を筒軸部内まで導くようにすることによって、ユーザーがネジ体を把持し、その先端を、斜面部の外端縁を目安にして前述の摺動面内に入れてから摺動させるようにして、手探りでネジ体の先端を斜面部の内端縁を通って筒軸部内に確実に導くことができる。
【００１７】
以上のような構成により、被取付部材に取り付けたインサートナットのネジ孔にネジ体を螺挿する際、インサートナットの開口部の位置を目視で確認する必要がなくなり、ネジ体の取付作業の作業効率の向上や作業負荷の減少を図ることができる。更に、手探りであっても、ユーザーの手が、インサートナットを取り付けた被取付部材の裏面側等に直接接触しないようにすることができ、バリや鋭利な部分等で手を傷つけるおそれがなくなる。加えて、ネジ体の先端を前述の摺動面に沿わせるようにして徐々に筒軸部内まで精度良く移動させることができ、筒軸部の軸心に対するネジ体の芯ずれを抑制し、各ネジ山の損傷や使用中のネジ体の脱落を確実に防止することができる。
【００１８】
なお、「斜面部」とは、その内端縁から外端縁に向かって内径が徐々に拡大する形状、逆に言えば、外端縁から内端縁に向かって内径が徐々に縮小する形状であれば特に限定するものではなく、例えば、斜面部の形状は、後述するような、筒軸部側に向かって凸の球面状であってもよいし、筒軸部の斜面部側一端を頭頂点とする角錐面状であってもよい。そして、このような形状の斜面部の内面における外端縁から内端縁にかけて、ネジ体の先端を沿わせるのに充分な大きさの前述の摺動面が形成されている。
【００１９】
また、斜面部の少なくとも一部が、筒軸部に向かって凸の球面状に形成される場合は、斜面部内に入ったネジ体が筒軸部の軸心に対して傾斜した状態であっても、このような斜面部の球面域を通過する間に傾斜状態がある程度矯正され（以下、「傾斜矯正作用」とする）、ネジ体をネジ孔に滑らかに螺挿することができる。なお、斜面部で凸の球面状に形成された部分は、斜面部の一部域であってもよいし、全域であってもよい。
【００２０】
また、斜面部に、斜面部における外端縁から軸方向途中部までの領域に形成された緩斜面域と、斜面部における軸方向途中部から内端縁までの領域に形成されると共に、緩斜面域よりも傾斜角度が大きい急斜面域とを設ける場合は、被取付部材の表面を摺動してきたネジ体の先端は、最初は、緩斜面域内に入って緩やかに摺動されながら、筒軸部に向かう概略の方向に導かれ、続いて、緩斜面域を摺動して筒軸部側の側縁に到達したネジ体の先端は、急激に急斜面域内に落とし込まれながら、筒軸部に向かう正確な方向に導かれる。
【００２１】
これにより、ネジ体の先端を、緩斜面域から急斜面域にかけて通過させる間に、徐々に筒軸部の方向に向けることができ、筒軸部内まで更に精度良く導くことができる。しかも、急斜面域を通過する間に、前述の傾斜矯正作用が更に促進され、ネジ体と筒軸部の軸心を略一致させることができ、ネジ体の外周面の雄ネジと筒軸部内の雌ネジ間の螺合状態を確実に正常化し、ネジ体をネジ孔に更に滑らかに螺挿することができる。
【００２２】
なお、斜面部の構成は、緩斜面域と急斜面域の他に、後述するような、緩斜面域と急斜面域の中間的な角度の斜面等を含む三段や、四段以上の複数段構成であっても良い。
【００２３】
また、緩斜面域に、斜面部の外端縁に連接され、ネジ体の先端を斜面部内に導入する第１緩斜面と、第１緩斜面よりも傾斜角度が小さく形成され、ネジ体の先端を急斜面域まで緩やかに移動させる第２緩斜面とを設ける場合は、第２緩斜面よりも傾斜角度が大きい第１緩斜面により、斜面部の外端縁と第２緩斜面との間の落差を大きく設定することができ、この落差を目安に、ユーザーがネジ体の先端を外端縁から斜面部内に確実に入れることが可能となって、ネジ体の取付作業の更なる作業効率の向上や作業負荷の軽減を図ることができる。
【００２４】
また、斜面部の外端縁の最大内径を、筒軸部の最大内径の３倍以上１０倍以下に設定する場合は、ロート状の斜面部によってネジ体の先端のガイド動作が好適に行われる。
【００２５】
詳しくは、前述の斜面部の外端縁の最大内径が、筒軸部の最大内径の３倍未満では、斜面部の部分が通常のネジ孔と変わらない大きさであるため、斜面部の外端縁を目安にして摺動面内に入れることが難しくなり、ネジ体の先端を筒軸部にたどり着かせることが容易ではなくなるので、好ましくない。一方、斜面部の外端縁の最大内径が、筒軸部の最大内径の１０倍を超えると、ネジ体の先端を円滑に筒軸部へガイドするのに充分な大きさの曲率や傾斜角度を確保するために、フランジ部の厚みを著しく増加させる必要があり、このような厚く径大なインサートナットは、見た目が悪い上に、被取付部材の他の構成部材等と干渉しやすくなるため、インサートナットが使用される器具の構造設計の妨げになるおそれがあり、好ましくない。
【００２６】
上記の目的を達成するために、本発明の被取付部材のネジ受け構造は、雄ネジが刻設されたネジ体を取り付ける被取付部材に設けられた雌ネジ部と、雌ネジ部内につながると共に雌ネジ部とは反対側の外方に向けて内径が拡大するロート状の斜面部を、所定の軸方向長さにわたって有し、斜面部に、ネジ体の先端を摺動させることにより、先端を雌ネジ部内まで導くガイド部とを備える。
【００２７】
そして、被取付部材のネジ受け構造が、前述の雌ネジ部を備えることによって、ガイド部に形成された斜面部を介して挿入されるネジ体は、その外周面の雄ネジと雌ネジ部内の雌ネジとが螺合し、被取付部材へ着脱可能に取り付けることができる。
【００２８】
更に、ガイド部に、雌ネジ部内につながると共に雌ネジ部とは反対側の外方に向けて内径が拡大するロート状の斜面部を、所定の軸方向長さにわたって有することによって、この斜面部の外端縁から内端縁との間に、ネジ体の先端を沿わせるのに充分な大きさの摺動面を確保することができる。しかも、ネジ体の先端が、急角度で摺動して雌ネジ部の内部に衝突したり、摺動面途中で拡径した部分に係止されたりするのを、確実に防止することができ、ネジ体の先端を、雌ネジ部内に向かって斜面部上を滑らかに摺動させて精度良く導くことができる。
【００２９】
加えて、ガイド部において、斜面部に、ネジ体の先端を摺動させることにより、先端を雌ネジ部内まで導くようにすることによって、ユーザーがネジ体を把持し、その先端を、斜面部の外端縁を目安にして前述の摺動面内に入れてから摺動させるようにして、手探りでネジ体の先端を斜面部の内端縁を通って雌ネジ部内に確実に導くことができる。
【００３０】
以上のような構成により、雌ネジ部のネジ孔にネジ体を螺挿する際、ネジ孔の開口部の位置を目視で確認する必要がなくなり、ネジ体の取付作業の作業効率の向上や作業負荷の軽減を図ることができる。更に、手探りであっても、ユーザーの手が、ネジ受け構造を設けた被取付部材の裏面側等に直接接触しないようにすることができ、バリや鋭利な部分等で手を傷つけるおそれがなくなる。加えて、ネジ体の先端を前述の摺動面に沿わせるようにして徐々に雌ネジ部内まで精度良く移動させることができ、雌ネジ部の軸心に対するネジ体の芯ずれを抑制し、各ネジ山の損傷や使用中のネジ体の脱落を確実に防止することができる。
【００３１】
また、雌ネジ部が、被取付部材の所定の孔内に挿嵌固定されると共に内壁に雌ネジが刻設された筒状体を有する場合は、被取付部材の材質に左右されずに雌ネジ部を設けることができる。例えば、被取付部材が合板等の木材や石材である場合、一般的には孔の内壁に雌ネジを直接刻設することは難しいが、雌ネジが刻設された筒状体を挿嵌固定することによって、木材等の被取付部材でも雌ネジ部を設けることができる。
【００３２】
また、雌ネジ部が、被取付部材の所定の孔内に雌ネジが直接刻設されて形成される場合は、前述の雌ネジが刻設された筒状体の調達および挿嵌固定作業が不要となり、雌ネジ部の構成を簡略化することができる。なお、被取付部材が合成樹脂等である場合、タップ等を使用してその孔内に雌ネジを刻設することができる。
【発明の効果】
【００３３】
本発明に係わるインサートナット、および被取付部材のネジ受け構造は、ネジ体をネジ孔に螺挿する際、このネジ孔の開口部を直接目視しなくても簡単な摺動操作だけでネジ体の先端を開口部内まで低負荷で迅速かつ精度良く導くことができるものとなっている。
【図面の簡単な説明】
【００３４】
【図１】本発明の第１実施形態を示し、インサートナットを底面側から見た斜視図である。
【図２】図１に示すインサートナットの側面図である。
【図３】図２のＡ―Ａ矢視断面図である。
【図４】図１に示すインサートナットの底面図である。
【図５】図１に示すインサートナットを挿嵌した被取付部材において、ボルトの先端によって開口部を探る状態を示す縦断面視説明図である。
【図６】図１に示すインサートナットを挿嵌した被取付部材において、ボルトが螺挿された状態を示す縦断面視説明図である。
【図７】本発明のインサートナットの変形例を示し、（ａ）は変形例１、（ｂ）は変形例２、（ｃ）は変形例３である。
【図８】本発明の第２実施形態を示し、インサートナットの縦断面図である。
【図９】本発明の第３実施形態を示し、被取付部材のネジ受け構造を底面側から見た斜視説明図である。
【図１０】図９に示す被取付部材のネジ受け構造において、ボルトの先端によって開口部を探る状態を示す縦断面視説明図である。
【図１１】本発明の被取付部材のネジ受け構造の変形例である変形例４を示す縦断面図である。
【図１２】特許文献１記載のインサートナットを示し、（ａ）は正面図、（ｂ）は縦断面模式図、（ｃ）は被取着物の板材に形成された孔にインサートナットを挿嵌した状態の縦断面視説明図である。
【発明を実施するための形態】
【００３５】
図１ないし図１１を参照して、本発明の実施の形態を更に詳細に説明する。なお、各図における符号は、煩雑さを軽減し理解を容易にする範囲内で付している。
【００３６】
〔第１実施形態〕
図１ないし図６を参照してインサートナット１について説明する。
インサートナット１は、合成樹脂製であり、筒軸部１１とフランジ部１２を備え、一体成形されたものである。各部については以下で詳述する。なお、説明上、フランジ部１２の「上面」とは、筒軸部１１が固着された部分であって図１ないし図３の上向きの面の意味で使用し、フランジ部１２の「底面」とは、前述の「筒軸部とは反対側」に位置する面であって図１ないし図３の下向きの面の意味で使用している。
【００３７】
筒軸部１１は、両端が開口し、先端側が自由端で、基端側がフランジ部１２に固着された筒体であり、内壁に雌ネジ１１１が刻設される一方、外周面には係止構造部１１２が設けられている（図３参照）。なお、本実施の形態において係止構造部１１２は、長手方向に凹凸が連続するいわゆるタケノコ形状のものであるが、これに限定するものではなく、前述の通り、各種態様の係止構造部を採用可能である。
【００３８】
フランジ部１２は、平面視で中抜き円板状であり、その平坦な上面に、筒軸部１１の軸心と直交するようにして、筒軸部１１の基端側が固着され（図２参照）、これら筒軸部１１の基端側とフランジ部１２との固着位置は、フランジ部１２の平面視略中央である。更に、フランジ部１２の底面側の開口部１２１には、筒軸部１１内につながる斜面部１２２が形成されている。なお、フランジ部１２で上面と外周側面が交わる角部には、面取り加工も施されている。
【００３９】
この斜面部１２２は、筒軸部１１とは反対側の外方（本実施形態では下方）に向けて内径が拡大するロート状であり、所定の軸方向長さにわたって形成されている。更に、この斜面部１２２には、緩斜面域１２３と急斜面域１２４とが設けられると共に、斜面部１２２の外端縁１２０の最大内径１３０が、筒軸部１１の最大内径１３１の約５倍に設定されている。
【００４０】
このうちの緩斜面域１２３は、斜面部１２２における外縁部１２０から軸方向途中部にある内周角部１２８までの領域に形成されると共に、筒軸部１１に向かって凸の球面状に形成されている。
【００４１】
急斜面域１２４は、内周角部１２８から内端縁１２７までの領域に形成されると共に、筒軸部１１に向かって凸の円錐面状であって、緩斜面域１２３よりも急な角度で形成されている（図１、図３参照）。
【００４２】
（作  用）
図１ないし図６（特に図５、図６）を参照して、インサートナット１の作用効果を説明する。
【００４３】
＜被取付部材２へのインサートナット１の取り付け＞
板状の被取付部材２に形成された柱状の孔２１にインサートナット１を挿嵌する。そして、この孔２１の内径は、筒軸部１１の外径よりも僅かに径小に形成されているため、孔２１に挿嵌された筒軸部１１は、前述の係止構造部１１２によって孔２１の内壁との間で係止力が生じ、インサートナット１が被取付部材２から脱落したり、孔２１の内壁に対して筒軸部１１が空転したりすることを防止できる。
【００４４】
ここで、本実施形態において、孔２１には、表面側にフランジ部１２を嵌め入れ可能な座ぐり部２２を設けられており、この座ぐり部２２にフランジ部１２全体を嵌入できるようにしている。
【００４５】
つまり、孔２１にインサートナット１を挿嵌した状態では、フランジ部１２底面の斜面部１２２が、取付部材２の表面２３よりも内側に窪んでいるため、被取付部材２の表面２３にネジ体３の先端３０を当てて摺動させると、ネジ体３の先端３０が、この斜面部１２２の中に入り込む。
【００４６】
なお、被取付部材２に形成する孔は、座ぐり部２２の無い態様であってもよい。この場合、座ぐり部２２の省略によって被取付部材の加工が容易になると共に、被取付部材２の表面２３からフランジ部１２が突出しているため、この表面２３を摺動しているネジ体３の先端３０は、インサートナット１の挿嵌位置近傍になるとフランジ部１２の外周側縁に接触し、この接触で受ける手の感触によって、ユーザーは開口部１２１の概略位置を把握することができる。
【００４７】
＜インサートナット１へのネジ体３の取り付け＞
ユーザーが被取付部材２の表面２３にネジ体３の先端３０を摺動させる間、インサートナット１の挿嵌位置に到達すると、ネジ体３の先端３０は、最初に緩斜面域１２３内に入る。
【００４８】
緩斜面域１２３は、前述の通り筒軸部１１に向かって凸の球面状であって、急斜面域１２４よりも緩やかに傾斜しているため、ネジ体３の先端３０に力を加えると、緩斜面域１２３の緩やかな球面上を摺動しながら通過する間に、ネジ体３の傾斜状態が、傾斜矯正作用によってある程度矯正されると共に、ネジ体３の先端３０が、筒軸部１１に向かう概略の方向に導かれる。
【００４９】
そして、このような緩斜面域１２３を摺動し、筒軸部１１側の側縁、本実施形態では内周角部１２８に到達したネジ体３の先端３０は、急斜面域１２４内に落とし込まれるようにして、筒軸部１１に向かう正確な方向に導かれる。加えて、この急斜面域１２４を通過する間に、傾斜矯正作用が更に促進され、ネジ体３と筒軸部１１の軸心を略一致させることができる。
【００５０】
このようにして、ネジ体３の先端３０を、緩斜面域１２３から急斜面域１２４にかけて通過する間に、徐々に筒軸部１１の方向に向けることができ、筒軸部１１内に確実に滑り込ませることができる。
【００５１】
更に、この間の作業は、図５および図６に示すように、インサートナット１が被取付部材２の裏面側に取り付けられているような場合であっても、開口部１２１の位置を直接目視することなく、ネジ体３の先端３０を、外端縁１２０を目安にしてフランジ部１２の斜面部１２２に当てて摺動させるようにして、手探りでネジ体３の先端３０を筒軸部１１内まで確実に導くことができるので、ネジ体３の取付作業を低負荷で迅速に行うことができる。
【００５２】
加えて、本実施形態の斜面部１２２では、外端縁１２０の最大内径１３０が筒軸部１１の最大内径１３１の約５倍であるので、通常のネジ孔の最大内径の大きさと比較し、直接目視しなくとも手探りで充分に見つけられるサイズであり、その大きさが適当であって見た目のまとまりがよく、被取付部材２の他の構成部材等と干渉しないサイズなので、被取付部材２の構造設計の妨げにならない。
【００５３】
このようにして、開口部１２１から筒軸部１１内に螺挿されたネジ体３は、螺合方向（一般的には時計回りの方向）に回転させることにより、ネジ体３の雄ネジと筒軸部１１内の雌ネジ１１１とが螺合し、ネジ体３をインサートナット１に着脱可能に取り付けることができる。
【００５４】
なお、インサートナット１は、被取付部材２の裏面側のような箇所のみならず、被取付部材２の表面側等の直接目視可能な箇所に取り付けてもよい。この場合、手先が不自由な高齢老人等も好適に使用できるユニバーサルデザイン（Universal Design）としての利用も可能となる。
【００５５】
〔変形例１、変形例２、変形例３〕
図７に示すインサートナット１ａ、１ｂ、１ｃは、図１等に示すインサートナット１のフランジ部１２の形状の変形例である。
【００５６】
（変形例１：インサートナット１ａ）
インサートナット１ａは、フランジ部１２ａの軸方向視の外形が三角形であって、その斜面部１２２ａは、筒軸部１１の軸心を頭頂点とするロート状の三角錐面から成る緩斜面域１２３ａと、前述した急斜面域１２４と同様に円錐面状に形成された急斜面域１２４ａとが設けられている。なお、筒軸部１１については、インサートナット１と同様の構造であるため、説明を省略する。
【００５７】
これにより、インサートナット１ａは、インサートナット１と異なる装飾効果を奏し、加えて、例えば、被取付部材２に形成された孔周辺に、フランジ部１２ａが丁度収まる三角形の座ぐり部が設けられている場合は、フランジ部１２ａの角部が座ぐり部の隅部と係合することによって、円板状のフランジ部１２を柱状の孔２１に挿嵌するのと比べ、孔の内壁に対して筒軸部１１が空転することを確実に防止することができる。なお、その他のインサートナット１ａの作用効果は、インサートナット１とほぼ同様の構造であるため、説明を省略する。
【００５８】
（変形例２：インサートナット１ｂ）
インサートナット１ｂは、フランジ部１２ｂの軸方向視の外形が四角形であって、その斜面部１２２ｂは、筒軸部１１の軸心を頭頂点とするロート状の四角錐面から成る緩斜面域１２３ｂと、前述した急斜面域１２４と同様に円錐面状に形成された急斜面域１２４ｂとが設けられている。なお、筒軸部１１については、インサートナット１と同様の構造であるため、説明を省略する。
【００５９】
これにより、インサートナット１ｂは、インサートナット１等と異なる装飾効果を奏し、加えて、例えば、被取付部材２に形成された孔周辺に、フランジ部１２ｂが丁度収まる四角形の座ぐり部が設けられている場合は、フランジ部１２ｂの角部が座ぐり部の隅部と係合することによって、円板状のフランジ部１２を柱状の孔２１に挿嵌するのと比べ、孔の内壁に対して筒軸部１１が空転することを確実に防止することができる。なお、その他のインサートナット１ｂの作用効果は、インサートナット１等とほぼ同様の構造であるため、説明を省略する。
【００６０】
（変形例３：インサートナット１ｃ）
インサートナット１ｃは、フランジ部１２ｃの軸方向視の外形が六角形であって、その斜面部１２２ｃは、筒軸部１１の軸心を頭頂点とするロート状の六角錐面から成る緩斜面域１２３ｃと、前述した急斜面域１２４と同様に円錐面状に形成された急斜面域１２４ｃとが設けられている。なお、筒軸部１１については、インサートナット１と同様の構造であるため、説明を省略する。
【００６１】
これにより、インサートナット１ｃは、インサートナット１等と異なる装飾効果を奏し、加えて、例えば、被取付部材２に形成された孔周辺に、フランジ部１２ｃが丁度収まる六角形の座ぐり部が設けられている場合は、フランジ部１２ｃの角部が座ぐり部の隅部と係合することによって、円板状のフランジ部１２を柱状の孔２１に挿嵌するのと比べ、孔の内壁に対して筒軸部１１が空転することを確実に防止することができる。なお、その他のインサートナット１ｃの作用効果は、インサートナット１等とほぼ同様の構造であるため、説明を省略する。
【００６２】
〔第２実施形態〕
次に、図８に示すインサートナット１ｄは、図１等に示すインサートナット１の他の実施形態である。なお、このインサートナット１ｄは、図１等に示すインサートナット１とフランジ部の形状のみ相違しており、筒軸部１１については、インサートナット１と同様の構造であるため、説明を省略する。
【００６３】
インサートナット１ｄのフランジ部１２ｄにおいて、斜面部１２２ｄに設けられた緩斜面域１２３ｄには、第１緩斜面１２５と第２緩斜面１２６とが設けられている。このうちの第１緩斜面１２５は、斜面部１２２ｄの外端縁１２０ｄに連接され、ネジ体３の先端３０を斜面部１２２ｄ内に容易に導入可能な角度に設けられている。詳しくは、第２緩斜面１２６よりも傾斜角度が大きい第１緩斜面１２５を設けることによって、斜面部１２２ｄの外端縁１２０ｄと第２緩斜面１２６との間の落差を大きく設定している。
【００６４】
これにより、ユーザーは、この落差から受ける手の感触によって、ネジ体３の先端３０が斜面部１２２ｄの外端縁１２０ｄの外側領域から緩斜面域１２３ｄ内に入ったことを確認することで、ネジ体３の先端３０を斜面部１２２ｄ内に確実に入れることができ、続いて、第１緩斜面１２５よりも傾斜角度が小さい第２緩斜面１２６内を、一層緩やかに摺動させるようにして、ネジ体３の先端３０を筒軸部１１内へ更に精度良く導くことができる。
【００６５】
〔第３実施形態〕
図９および図１０に示す被取付部材のネジ受け構造４は、本発明にかかる技術思想を適用した他の実施形態である。
【００６６】
被取付部材のネジ受け構造４は、被取付部材４０と、被取付部材４０に形成された雌ネジ部４１と、ネジ体３の先端３０を摺動させて雌ネジ部４１内まで導くガイド部４２とを備える。各部については以下で詳述する。なお、説明上、被取付部材４０の「裏面」とは、図９および図１０における下向きの面の意味で使用している。
【００６７】
被取付部材４０は木製合板である。なお、被取付部材４０はこれに限定するものではなく、例えば、合成樹脂板等であってもよい。
【００６８】
雌ネジ部４１は、被取付部材４０に形成された孔４０１に、筒状体であるインサートナット４１０を挿嵌して構成されている。インサートナット４１０は、内壁に雌ネジ４１１が刻設され、外周面に係止構造部４１２が設けられている。
【００６９】
更に、被取付部材４０の裏側表面４０２側の開口部４２１には、雌ネジ部４１内につながる斜面部４２０が形成されている。
【００７０】
この斜面部４２０は、雌ネジ部４１とは反対側の外方（本実施例では下方）に向けて内径が拡大するロート状であり、所定の軸方向長さにわたって形成されている。更に、この斜面部４２０には、緩斜面域４２３と急斜面域４２４とが設けられると共に、斜面部４２０の外端縁４２２の最大内径４３０が、インサートナット４１０の最大内径４３１の約５倍に設定されている。
【００７１】
このうちの緩斜面域４２３は、斜面部４２０における外縁部４２２から軸方向途中部にある内周角部４２８までの領域に形成されると共に、雌ネジ部４１に向かって凸の球面状に形成されている。
【００７２】
急斜面域４２４は、内周角部４２８から内端縁４２５までの領域に形成されると共に、雌ネジ部４１に向かって凸の円錐面状であって、緩斜面域４２３よりも急な角度で形成されている（図９、図１０参照）。
【００７３】
（作  用）
図９、図１０を参照して、被取付部材４０のネジ受け構造４の作用効果を説明する。
裏側表面４０２にネジ体３の先端３０を当てて摺動させてガイド部４２が設けられた領域に到達すると、ネジ体３の先端３０は、最初に緩斜面域４２３内に入る。
【００７４】
この緩斜面域４２３は、前述の緩斜面域１２３と同様な球面状であって、急斜面域４２４よりも緩やかに傾斜しているため、ネジ体３の先端３０に力を加えると、緩斜面域４２３の緩やかな球面上をしながら通過する間に、ネジ体３の傾斜状態が、傾斜矯正作用によってある程度矯正されると共に、ネジ体３の先端３０が、雌ネジ部４１に向かう概略の方向に導かれる。
【００７５】
そして、このような緩斜面域４２３を摺動し、雌ネジ部４１側の側縁、本実施形態では内周角部４２８に到達したネジ体３の先端３０は、急斜面域４２４内に落とし込まれるようにして、雌ネジ部４１に向かう正確な方向に導かれる。加えて、この急斜面域４２４を通過する間に、傾斜矯正作用が更に促進され、ネジ体３とインサートナット４１０の軸心を略一致させることができる。
【００７６】
このようにして、前述のインサートナット１の場合と同様、ネジ体３の先端３０を、緩斜面域４２３から急斜面域４２４にかけて通過する間に、徐々に雌ネジ部４１の方向に向けることができ、雌ネジ部４１内に確実に滑り込ませることができる。
【００７７】
更に、この間の作業は、開口部４２１の位置を直接目視することなく、ネジ体３の先端３０を、外端縁４２２を目安にして斜面部４２０に当てて摺動させるようにして、手探りでネジ体３の先端３０を雌ネジ部４１内まで確実に導くことができるので、ネジ体３の取付作業を迅速かつ容易に行うことができる。
【００７８】
加えて、本実施の形態のガイド部４２の斜面部４２０では、外端縁４２２の最大内径４３０が、インサートナット４１０の最大内径４３１の約５倍であるので、通常のネジ孔の最大内径の大きさと比較し、直接目視しなくとも手探りで充分に見つけられるサイズであり、その大きさが適当であって見た目のまとまりがよく、被取付部材４０の他の構成部材等と干渉しないサイズなので、被取付部材４０の構造設計の妨げにならない。
【００７９】
このようにして、開口部４２１からインサートナット４１０内に螺挿されたネジ体３は、螺合方向に回転させることにより、ネジ体３の雄ネジとインサートナット４１０内の雌ネジ４１１とが螺合し、ネジ体３を被取付部材４０のインサートナット４１０に着脱可能に取り付けることができる。
【００８０】
なお、インサートナット４１０は、被取付部材４０の裏面側のような箇所のみならず、被取付部材４０の表面側等の直接目視可能な箇所に取り付けてもよい。この場合、ユニバーサルデザインとしての利用も可能となる。
【００８１】
〔変形例４〕
図１１に示す被取付部材のネジ受け構造４ａは、図９、図１０に示す被取付部材のネジ受け構造４の雌ネジ部４１の形状の変形例である。
【００８２】
被取付部材のネジ受け構造４ａは、合成樹脂製の被取付部材４０ａと、被取付部材４０ａに形成された雌ネジ部４１ａと、ネジ体３の先端を摺動させて雌ネジ部４１ａ内まで導くガイド部４２とを備える。なお、雌ネジ部４１ａ以外の部分については、被取付部材のネジ受け構造４と同様の構造であるため、説明を省略する。
【００８３】
ネジ受け構造４ａでは、雌ネジ部４１ａが、被取付部材４０ａの孔４０１ａ内に雌ネジ４１１が直接刻設されて形成されているので、前述したインサートナット４１０の調達および挿嵌固定作業が不要となり、雌ネジ部４１ａの構成を簡略化することができる。これにより、前述の被取付部材のネジ受け構造４の作用効果に加え、被取付部材４０ａに被取付部材のネジ受け構造４ａを設ける際の作業効率向上、製造コスト抑制を図ることができる。
【００８４】
以上のように、本発明を適用したインサートナット、および被取付部材のネジ受け構造は、ネジ体をネジ孔に螺挿する際、このネジ孔の開口部を直接目視しなくても簡単な摺動操作だけで、ネジ体の先端を開口部内まで低負荷で迅速かつ精度良く導くことができるものとなっている。
【００８５】
本明細書及び特許請求の範囲で使用している用語と表現は、あくまでも説明上のものであって、なんら限定的なものではなく、本明細書及び特許請求の範囲に記述された特徴およびその一部と等価の用語や表現を除外する意図はない。また、本発明の技術思想の範囲内で、種々の変形態様が可能であるということは言うまでもない。また、第一、第二などの言葉は、等級や重要度を意味するものではなく、一つの要素を他の要素から区別するために使用したものである。
【符号の説明】
【００８６】
１、１ａ、１ｂ、１ｃ、１ｄ    インサートナット
１１    筒軸部
１１１    雌ネジ
１１２    係止構造部
１２、１２ａ、１２ｂ、１２ｃ、１２ｄ    フランジ部
１２０、１２０ａ、１２０ｂ、１２０ｃ、１２０ｄ    外端縁
１２１    開口部
１２２、１２２ａ、１２２ｂ、１２２ｃ、１２２ｄ    斜面部
１２３、１２３ａ、１２３ｂ、１２３ｃ、１２３ｄ    緩斜面域
１２４、１２４ａ、１２４ｂ、１２４ｃ、１２４ｄ    急斜面域
１２５    第１緩斜面
１２６    第２緩斜面
１２７    内端縁
１２８    内周角部
１３０    外端縁の間の最大内径
１３１    筒軸部の最大内径
２    被取付部材
２１    孔
２２    座ぐり部
２３    被取付部材表面
３    ネジ体
３０    先端
４、４ａ    被取付部材のネジ受け構造
４０、４０ａ    被取付部材
４０１、４０１ａ    孔
４０２    裏側表面
４０３    外端縁
４１、４１ａ    雌ネジ部
４１０    インサートナット
４１１    雌ネジ
４１２    係止構造部
４２    ガイド部
４２０    斜面部
４２１    開口部
４２２    外端縁
４２３    緩斜面域
４２４    急斜面域
４２５    内端縁
４２８    内周角部
４３０    外端縁の間の最大内径
４３１    インサートナットの最大内径
９    インサートナット
９１    筒軸部
９１１    雌ネジ
９１２    開口部
９１２ａ    内端縁
９１２ｂ    外端縁
９２    フランジ部
９２１    表面
９３    係止部
９３１    抜け止め用突起
９９    被取着物
９９１    表面
【図１】
2018159459.tif 000003
【図２】
2018159459.tif 000004
【図３】
2018159459.tif 000005
【図４】
2018159459.tif 000006
【図５】
2018159459.tif 000007
【図６】
2018159459.tif 000008
【図７】
2018159459.tif 000009
【図８】
2018159459.tif 000010
【図９】
2018159459.tif 000011
【図１０】
2018159459.tif 000012
【図１１】
2018159459.tif 000013
【図１２】
2018159459.tif 000014